(57)【要約】      （修正有）【課題】市販の傘に対して着脱可能であり、降雨又は降雪時の夜間において歩行者の視認性を高めて、交通事故などの危険を抑制することのできる傘用表示灯を提供する。【解決手段】石突きに取り付けて用いられる傘用表示灯１であって、透光性である本体１１の内部に光源１２及び電源装置１３が収容され、本体の基部１９に、石突きと結合し、傘と本体とを一体化させるための接続部１５を備え、接続部が、基部に設けられた穴であり、この穴が、石突きを挿入可能な径の開口端１５３と、開口端から離れるにつれて穴の径が細くなるテーパーを備えた壁面１５１と、壁面に形成され、石突きに食い込みながら螺合する雌ねじ１５２と、を備える。接続部は、雌ねじに代えて把持体を備えてもよい。【選択図】図２
0003186120.tif 000002
【実用新案登録請求の範囲】
【請求項１】
傘の石突きに取り付けて用いられる傘用表示灯であって、
少なくとも一部が透光性である本体の内部に光源及び前記光源を駆動するための電源装置が収容され、前記本体の基部に、前記傘の石突きと結合し、前記傘と前記本体とを一体化させるための接続部を備え、
前記接続部が、（１）前記本体の基部に設けられた穴であり、この穴が、前記傘の石突きを挿入可能な径の開口端と、前記開口端から離れるにつれて穴の径が細くなるテーパーを備えた壁面と、前記壁面に形成され、前記傘の石突きに食い込みながら螺合する雌ねじと、を備えるものである、又は、（２）前記本体の基部に設けられた穴、及びその穴の下方に設けられた把持体であり、前記傘の石突きの一部が前記穴に収容された状態で、前記把持体が前記傘の石突きのうちの前記穴に収容されていない箇所を把持するものである、ことを特徴とする傘用表示灯。
【請求項２】
前記基部を一端としたときの他端側に、前記傘の石突きの代用となる代用石突き部を備えた請求項１記載の傘用表示灯。
【考案の詳細な説明】
【技術分野】
【０００１】
本考案は、傘用表示灯に関し、さらに詳しくは、傘の石突きに対して着脱可能であり、発光によって自動車等の運転手に歩行者の存在を認識させやすくすることのできる傘用表示灯に関する。
【背景技術】
【０００２】
夜間における自動車の運転では、暗闇の中で自動車が歩行者に接触することを避けるために、運転手には高度な集中力が必要になる。特に、降雨時の夜間では、晴天時の夜間よりも暗闇が深くなるばかりか、歩行者が雨傘によって周囲の暗闇に溶け込んで見分けにくくなり、自動車の前照灯を用いていても歩行者の発見が遅れがちになる。このため、雨天時の夜間の歩行者には、危険で不安全な状況が生じやすいといえる。
【０００３】
このような状況のもと、例えば特許文献１には、傘骨に点灯表示部を設けた傘が提案されている。また、特許文献２には、傘の石突きの内部に点滅する発光ダイオードを設け、当該発光ダイオードからの光を傘布の表面に投光することのできる傘が提案されている。さらに、傘の中棒に発光ダイオードを内蔵し、これを光らせることにより視認性を向上させた傘も市販されている。
【先行技術文献】
【特許文献】
【０００４】
【特許文献１】特開平８−２９４４０８号公報
【特許文献２】特開２００１−１６１４１６号公報
【考案の概要】
【考案が解決しようとする課題】
【０００５】
上記のような傘を用いることにより、自動車の運転手からの歩行者の視認性が向上し、降雨時の夜間における交通事故や、身体に対する危険を防止できると考えられる。しかしながら、上記の傘は、いずれも石突きや中棒等のような傘構造の内部に発光部を備えるため、傘自体の値段も高く、また、傘骨等の機構に問題を生じて傘として使用することができなくなれば、上記発光部が使用可能であってもこれを破棄せざるを得ず、無駄を生じがちであった。
【０００６】
本考案は、以上の状況に鑑みてなされたものであり、市販されている通常の傘に対して着脱可能であり、降雨又は降雪時の夜間において歩行者の視認性を高めて、交通事故や歩行者の身体に対する危険を抑制することのできる新規な傘用表示灯を提供することを目的とする。
【課題を解決するための手段】
【０００７】
本考案者は、上記課題を解決するために鋭意検討を重ねた結果、傘用表示灯の本体と傘とを一体化させるための接続部を本体の基部に備え、当該接続部を、（１）本体の基部に設けられた穴であり、傘の石突きを挿入可能な径の開口端と、その開口端から離れるにつれて穴の径が細くなるテーパーを備えた壁面と、その壁面に形成され、傘の石突きに食い込みながら螺合する雌ねじと、を備えた構成とする、又は、（２）本体の基部に設けられた穴、及びその穴の下方に設けられた把持体であり、傘の石突きの一部が上記穴に収容された状態で、上記把持体が傘の石突きのうちの上記穴に収容されていない箇所を把持するものである構成とすればよいことを見出し、本考案を完成するに至った。より具体的には、本考案は以下のようなものを提供する。
【０００８】
本考案は、傘の石突きに取り付けて用いられる傘用表示灯であって、少なくとも一部が透光性である本体の内部に光源及び当該光源を駆動するための電源装置が収容され、上記本体の基部に、上記傘の石突きと結合し、上記傘と本体とを一体化させるための接続部を備え、上記接続部が、（１）本体の基部に設けられた穴であり、この穴が、上記傘の石突きを挿入可能な径の開口端と、当該開口端から離れるにつれて穴の径が細くなるテーパーを備えた壁面と、当該壁面に形成され、上記傘の石突きに食い込みながら螺合する雌ねじと、を備えるものである、又は、（２）上記本体の基部に設けられた穴、及びその穴の下方に設けられた把持体であり、上記傘の石突きの一部が上記穴に収容された状態で、上記把持体が上記傘の石突きのうちの上記穴に収容されていない箇所を把持するものである、ことを特徴とする傘用表示灯である。このような構成を備えた傘用表示灯であれば、市販されている通常の傘に対して着脱可能であり、かつ、降雨又は降雪時のような傘を用いる状況の夜間において、歩行者の視認性を高めることが可能になる。
【０００９】
上記の傘用表示灯において、上記基部を一端としたときの他端側に、上記傘の石突きの代用となる代用石突き部を備えることが好ましい。本考案の傘用表示灯は傘の石突きに挿入して用いられるが、この傘用表示灯が上記の代用石突き部を備えることにより、本考案の傘用表示灯を傘に取り付けたままの状態であっても、この代用石突き部が石突きの役割を果たし、傘を持ち運ぶ際の便宜となる。
【考案の効果】
【００１０】
本考案によれば、市販されている通常の傘に対して着脱可能であり、降雨又は降雪時の夜間において歩行者の視認性を高めて、交通事故や歩行者の身体に対する危険を抑制することのできる新規な傘用表示灯が提供される。
【図面の簡単な説明】
【００１１】
【図１】図１は、本考案の傘用表示灯が用いられる様子を示す側面図である。
【図２】図２は、本考案の傘用表示灯の第一実施形態を示す部分断面側面図である。
【図３】図３は、本考案の傘用表示灯の第一実施形態において、傘と傘用表示灯とが結合される様子を模式的に示す部分断面側面図である。
【図４】図４は、本考案の傘用表示灯の第一実施形態における、電源装置と光源との接続状態を示す回路図である。
【図５】図５は、本考案の傘用表示灯の第二実施形態を示す部分断面側面図である。
【図６】図６は、本考案の傘用表示灯の第二実施形態において、傘と傘用表示灯とが結合される様子を模式的に示す部分断面側面図である。
【図７】図７（ａ）は、本考案の傘用表示灯の第三実施形態を示す部分断面側面図であり、図７（ｂ）は、本実施形態で結合部１５Ｂの一部として用いられる固定リング１５４Ｂにおいて、バックル１５４Ｂ５が閉じた状態を示す斜視図である。
【図８】図８は、本考案の傘用表示灯の第三実施形態において、傘と傘用表示灯とが結合される様子を模式的に示す部分断面側面図である。
【考案を実施するための形態】
【００１２】
以下、図面を参照しながら、本考案の実施形態について説明する。なお、以下に述べる実施形態は本考案の一例であり、本考案は以下の実施形態に何ら限定されるものではない。
【００１３】
［第一実施形態］
まずは、本考案の第一実施形態について図面を参照しながら説明する。図１は、本考案の傘用表示灯１が用いられる様子を示す側面図である。図２は、本考案の第一実施形態の傘用表示灯１を示す部分断面側面図である。図３は、本考案の第一実施形態の傘用表示灯１において、傘９と傘用表示灯１とが結合される様子を模式的に示す部分断面側面図である。図４は、本考案の第一実施形態の傘用表示灯１における、電源装置１３と光源１２との接続状態を示す回路図である。
【００１４】
本実施形態の傘用表示灯１は、傘９の石突き９１に挿入固定されることで、傘９の石突き９１に取り付けられた状態となって用いられる。そして、傘用表示灯１は、歩行者によって傘９とともに用いられた際、傘９の上部にて発光することで降雨又は降雪時の夜間における歩行者の視認性を向上させる。
【００１５】
傘用表示灯１は、その本体１１の内部に光源１２、及び光源１２を駆動するための電源装置１３を備える。本体１１は、少なくとも一部が透光性のある素材で構成され、内部に存在する光源１２から発せられた光を外部に透過させる。本実施形態において本体１１は、着色されて半透明とされたプラスチックにより構成される。なお、本体１１を構成する素材としては、内部で発せられた光を外部に視認可能な状態で透過させることができればよく、透明であっても半透明であってもよく、また、無色であっても有色であってもよい。
【００１６】
本実施形態において、本体１１はリンゴを模した形状とされる。そのため、本体１１は、全体として赤色に着色された半透明のプラスチックにより形成され、後述する代用石突き部１８は、全体として緑色に着色されたプラスチックで形成される。このような形状とされるのは、意匠的効果によって例えば幼児や児童等のような使用者の関心を引くためである。このように、本体１１については、ターゲットとされる使用者に応じて本体１１の形状や色彩を適宜設計することができる。
【００１７】
光源１２としては、発光ダイオードが用いられる。図２には明示しないが、図４に示すように、光源１２は、電源装置１３と電気的に接続されており、電源装置１３により駆動されて発光する。なお、光源１２は、電流によって発光するものであればよいので、発光ダイオードに代えて電球を光源１２として用いてもよい。
【００１８】
電源装置１３は、電池１３１及び開閉器１３２を備え、開閉器１３２によって制御された、電池１３１からの電流を光源１２に供給する。開閉器１３２は、スイッチングを行う部材であり、物理的なスイッチ及び／又は電子的なスイッチで構成される。物理的なスイッチは使用者の操作による電源の投入のために用いられ、電子的なスイッチは点滅等といった発光制御のために用いられる。開閉器１３２は、物理的なスイッチ及び電子的なスイッチの両方を備えてもよいし、いずれか片方のみを備えてもよい。また、児童や幼児を使用者として想定する場合、電源を投入したタイミングでメロディ等の音声が再生される機構を電源装置１３に付加し、使用者の関心を引くようにしてもよい。
【００１９】
本体１１の基部１９には、傘９の石突き９１と結合し、傘９と本体１１とを一体化させるための接続部１５が形成される。接続部１５は、本体１１の基部１９に設けられた穴であり、この穴に傘９の石突き９１が挿入固定されて傘用表示灯１と傘９とが一体化される。穴として形成される接続部１５は、開口端１５３と壁面１５１と雌ねじ１５２とを備える。次に、これらについて説明する。
【００２０】
開口端１５３は、接続部１５の入り口に相当する部分であり、傘９の石突き９１を挿入可能な径を持つ穴として形成される。そして、この開口端１５３を通して傘９の石突き９１が挿入される。ここで、石突き９１は、多くの傘において、先端から根元に向けて径が徐々に太くなるテーパーを持つように形成されている。この場合、開口端１５３は、必ずしも石突き９１の根元部分まで挿入可能な径を備える必要はなく、少なくとも石突き９１の先端部分さえ挿入可能であればよい。このような場合であっても、開口端１５３に挿入された石突き９１は、後述する雌ねじ１５２と螺合することにより固定されることになる。
【００２１】
壁面１５１は、穴として形成される接続部１５における側面側の壁面部分である。壁面１５１には、開口端１５３から離れるにつれて、すなわち穴の奥に進むにつれて径が細くなるテーパーが形成されている。傘用表示灯１を傘９に取り付けるに際しては、傘９の石突き９１が接続部１５の内部へ押し込まれて挿入されるが、接続部１５の壁面１５１にはテーパーが施されているので、接続部１５の内部の或る地点で石突き９１の先端部分の径が接続部１５の壁面１５１で形成される径と一致して、石突き９１が壁面１５１に突き当たることになる。この地点で後述する雌ねじ１５２と石突き９１とが噛み合って、傘用表示灯１が石突き９１に固定される。
【００２２】
したがって、接続部１５の形状が特定の傘９における石突き９１の形状に完全合致している必要はなく、様々な径の石突き９１を備えた傘９に対応することが可能となる。勿論、接続部１５の形状が傘９の石突き９１の形状と完全合致するものであっても差しつかえない。一方で、接続部１５の内径が石突き９１に対してあまりにも大きく、石突き９１の先端部分が壁面１５１に突き当たらずに接続部１５の最奥部まで到達してしまう状態では、傘用表示灯１を石突き９１に固定することができない。そのため、本考案の傘用表示灯１を適用しようとする傘の種類に応じて、接続部１５の径や壁面１５１のテーパー角を適宜調節することが必要である。
【００２３】
雌ねじ１５２は、接続部１５の壁面１５１に形成され、上記のように石突き９１が壁面１５１に突き当たった状態で石突き９１を軸として本体１１を回転させることにより、図３に示すように、雌ねじ１５２の溝が石突き９１に食い込みながら螺合し、石突き９１と傘用表示灯１とを固定させる。そのため、雌ねじ１５２を構成するねじ溝は、固定しようとする石突き９１よりも固い部材で構成されることが望ましい。例えば、子供用の傘やいわゆるビニール傘では、石突き９１がポリエチレンやポリプロピレン等のプラスチックで形成されているので、雌ねじ１５２を金属や、石突き９１よりも固いプラスチックで構成すれば、雌ねじ１５２が石突き９１に食い込み、これらの傘を良好に固定することができる。
【００２４】
本体１１には、基部１９を一端としたときの他端側に、本体１１から円錐台形状で突き出した代用石突き部１８が設けられる。代用石突き部１８は、傘用表示灯１がはめ込まれた傘９の石突きとして機能する。したがって、代用石突き部１８の形状は、もとの石突き９１と同様の形状であることが望ましい。代用石突き部１８を構成する材質は、本体１１と一体的に成形させるとの観点からは、本体１１と同様であることが好ましい。
【００２５】
［第二実施形態］
次に、本考案の第二実施形態について図面を参照しながら説明する。図５は、本考案の第二実施形態の傘用表示灯１Ａを示す部分断面側面図である。図６は、本考案の第二実施形態の傘用表示灯１Ａにおいて、傘９と傘用表示灯１Ａとが結合される様子を模式的に示す部分断面側面図である。なお、第二実施形態の説明では、上記第一実施形態の説明と重複する部分について同じ符号を付し、その説明を省略する。
【００２６】
本実施形態の傘用表示灯１Ａにおける本体１１Ａの基部１９Ａには、傘９の石突き９１と結合し、傘９と本体１１Ａとを一体化させるための接続部１５Ａが形成される。本実施形態では、主として、接続部１５Ａの構造が上記第一実施形態における接続部１５と異なる。接続部１５Ａは、本体１１Ａの基部１９Ａに設けられており、基部１９Ａに開口する開口端１５３Ａと、開口端１５３Ａから本体１１Ａの内部方向に形成された穴１５５Ａと、穴１５５Ａ及び開口端１５３Ａの下方に設けられたクリップ１５４Ａとを備える。クリップ１５４Ａは、傘９の石突き９１を把持するための把持体である。なお、図５では、理解を容易にするために、クリップ１５４Ａと本体１１Ａとが分離された状態を示したが、後述するようにこれらはピン３により結合され一体化されている。
【００２７】
開口端１５３Ａは、穴１５５Ａの入り口に相当する部分であり、傘９の石突き９１を挿入可能な径を備える。そして、この開口端１５３Ａを通して傘９の石突き９１が穴１５５Ａに挿入される。穴１５５Ａには、開口端１５３Ａから離れるにつれて、すなわち穴１５５Ａの奥に進むにつれて径が細くなるテーパーが形成されている。傘用表示灯１Ａを傘９に取り付けるに際しては、傘９の石突き９１が穴１５５Ａの内部へ押し込まれて挿入されるが、穴１５５Ａにはテーパーが施されているので、穴１５５Ａの或る地点で石突き９１の先端部分の径が穴１５５Ａの壁面で形成される径と一致して、石突き９１が穴１５５Ａの壁面に突き当たることになる。このとき、石突き９１は、根本付近を残して穴１５５Ａに収容された状態となり、残った根本付近が穴１５５Ａに収容されない状態となっている。そして、石突き９１のうち穴１５５Ａに収容されない箇所が、後述するクリップ１５４Ａにより把持されることで、本体１１Ａが傘９の石突き９１に固定される。
【００２８】
なお、石突き９１を穴１５５Ａに挿入する際に、石突き９１が穴１５５Ａの壁面に突き当たることなく、その根元まで穴１５５Ａに挿入可能な状態であったとしても構わない。この場合であっても、クリップ１５４Ａが石突き９１の根元を把持できるような余地を残した状態で石突き９１を穴１５５Ａに挿入すれば、クリップ１５４Ａの把持力によって、本体１１Ａは傘９の石突き９１に十分固定されることになる。
【００２９】
クリップ１５４Ａは、穴１５５Ａ及び開口端１５３Ａの下方にて、本体１１Ａに取り付けられる。クリップ１５４Ａには、２つの把持体１５４Ａ１及び１５４Ａ２が重なる箇所に貫通孔１５４Ａ４が形成されている。一方、本体１１Ａの基部１９Ａには、把持体固定穴１６が形成されており、ピン３がクリップ１５４Ａの貫通孔１５４Ａ４を挿通して把持体固定穴１６に挿入固定される。これにより、クリップ１５４Ａは、２つの把持体１５４Ａ１及び１５４Ａ２がピン３を軸として互いに開閉可能な状態で、本体１１Ａの基部１９Ａに固定される。
【００３０】
２つの把持体１５４Ａ１及び１５４Ａ２は、ばね１５４Ａ３の弾性により、通常は互いに閉じた状態とされている。そして、使用者は、２つの把持体１５４Ａ１及び１５４Ａ２のそれぞれに設けられた突起に指をかけてクリップ１５４Ａを開くことが可能である。そのため、使用者は、傘９の石突き９１を穴１５５Ａに挿入する際にはクリップ１５４Ａを開いておき、挿入が完了した時点でクリップ１５４Ａを閉じて石突き９１を把持させることができる。これにより、石突き９１への本体１１Ａの固定が完了する。なお、傘用表示灯１Ａを傘９から取り外す際は、クリップ１５４Ａを開いた状態で、穴１５５Ａから石突き９１を抜き去ればよい。
【００３１】
クリップ１５４Ａは、上記のように、石突き９１を把持して固定する役割を担うので、開いたときに石突き９１を通過可能な開口部を形成させ、閉じたときに石突き９１の根元部分よりも小さな径の開口部を形成させることが可能なように、２つの把持体１５４Ａ１及び１５４Ａ２の形状及び寸法が決定される。
【００３２】
［第三実施形態］
次に、本考案の第三実施形態について図面を参照しながら説明する。図７（ａ）は、本考案の第三実施形態の傘用表示灯１Ｂを示す部分側面図であり、図７（ｂ）は、本実施形態で結合部１５Ｂの一部として用いられる固定リング１５４Ｂにおいて、バックル１５４Ｂ５が閉じた状態を示す斜視図である。図８は、本考案の第三実施形態の傘用表示灯１Ｂにおいて、傘９と傘用表示灯１Ｂとが結合される様子を模式的に示す部分断面図で或る。なお、第三実施形態の説明では、上記第一実施形態の説明と重複する部分について同じ符号を付し、その説明を省略する。
【００３３】
本実施形態の傘用表示灯１Ｂにおける本体１１Ｂの基部１９Ｂには、傘９の石突き９１と結合し、傘９と本体１１Ｂとを一体化させるための接続部１５Ｂが形成される。本実施形態では、主として、接続部１５Ｂの構造が上記第一実施形態における接続部１５及び第二実施形態における接続部１５Ａと異なる。接続部１５Ｂは、本体１１Ｂの基部１９Ｂに設けられており、基部１９Ｂに開口する開口端１５３Ｂと、開口端１５３Ｂから本体１１Ｂの内部方向に形成された穴１５５Ｂと、穴１５５Ｂ及び開口端１５３Ｂの下方に設けられた固定リング１５４Ｂとを備える。固定リング１５４Ｂは、傘９の石突き９１を把持するための把持体である。なお、図７（ａ）では、理解を容易にするために、固定リング１５４Ｂと本体１１Ｂとが分離された状態を示したが、これらはピン３により結合され一体化されている。
【００３４】
本実施形態において、開口端１５３Ｂ及び穴１５５Ｂの役割及び機能は、上記第二実施形態における開口端１５３Ａ及び穴１５５Ａと同様である。そのため、ここではこれらの説明を省略し、把持体である固定リング１５４Ｂについて説明する。
【００３５】
固定リング１５４Ｂは、穴１５５Ｂ及び開口端１５３Ｂの下方にて、本体１１Ｂに取り付けられる。固定リング１５４Ｂには、２つの把持体１５４Ｂ１及び１５４Ｂ２が重なる箇所に貫通孔１５４Ｂ４が形成されている。一方、本体１１Ｂの基部１９Ｂには、把持体固定穴１６が形成されており、ピン３が固定リング１５４Ｂの貫通孔１５４Ｂ４を挿通して把持体固定穴１６に挿入固定される。これにより、固定リング１５４Ｂは、２つの把持体１５４Ｂ１及び１５４Ｂ２がピン３を軸として互いに開閉可能な状態で、本体１１Ｂの基部１９Ｂに固定される。
【００３６】
２つの把持体１５４Ｂ１及び１５４Ｂ２は、両把持体の端部に設けられたバックル１５４Ｂ５及び留め具１５４Ｂ６によって、図７（ｂ）に示すように、閉じた状態で固定可能とされる。一方、これらは、バックル１５４Ｂ５を開放させることにより開いた状態とすることも可能である。そこで、使用者は、傘９の石突き９１を穴１５５Ｂに挿入する際には固定リング１５４Ｂを開いておき、挿入が完了した時点で固定リング１５４Ｂを閉じて石突き９１を把持させることができる。これにより、石突き９１への本体１１Ｂの固定が完了する。なお、傘用表示灯１Ｂを傘９から取り外す際は、固定リング１５４Ｂを開いた状態で、穴１５５Ｂから石突き９１を抜き去ればよい。
【００３７】
固定リング１５４Ｂは、上記のように、石突き９１を把持して固定する役割を担うので、開いたときに石突き９１を通過可能な開口部を形成させ、閉じたときに石突き９１の根元部分に相当する大きさの開口部を形成させることが可能なように、２つの把持体１５４Ｂ１及び１５４Ｂ２の形状及び寸法が決定される。
【符号の説明】
【００３８】
１、１Ａ、１Ｂ  傘用表示灯
１１、１１Ａ、１１Ｂ  本体
１２  光源
１３  電源装置
１５、１５Ａ、１５Ｂ  接続部
１５１  壁面
１５２  雌ねじ
１５３、１５３Ａ、１５３Ｂ  開口端
１５４Ａ  クリップ（把持体）
１５４Ｂ  固定リング（把持体）
１５５Ａ、１５５Ｂ  穴
１８  代用石突き部
１９、１９Ａ、１９Ｂ  基部
【図１】
0003186120.tif 000003
【図２】
0003186120.tif 000004
【図３】
0003186120.tif 000005
【図４】
0003186120.tif 000006
【図５】
0003186120.tif 000007
【図６】
0003186120.tif 000008
【図７】
0003186120.tif 000009
【図８】
0003186120.tif 000010